(57)【特許請求の範囲】
【請求項１】
選別機外から供給される原料を被選別物として貯留する貯留手段、該貯留手段から前記被選別物を移送する移送手段、を有する粒状物供給部と、
前記移送手段の端部から所定の軌跡に沿って落下する被選別物を検出する光学検出手段、該光学検出手段による検出信号に基づいて前記被選別物の種別を判別する判別手段、該判別手段による判別結果に基づいて特定の種別に判別される被選別物を前記所定の落下軌跡から排除するエジェクター、前記所定の軌跡に沿って落下する被選別物の落下位置に設けられる第１排出路、前記特定の種別に判別される被選別物であって前記エジェクターにより前記所定の落下軌跡から排除される被選別物の落下位置に設けられる第２排出路、及び前記第１排出路及び前記第２排出路の間に形成される第３排出路を有する排出ホッパ、を備える光学選別部と、
前記光学選別部における前記排出ホッパの前記第３排出路から排出される被選別物である中間品であって、前記特定の種別に判別される被選別物を前記エジェクターにより前記所定の落下軌跡から排除する際に、前記特定の種別に判別される被選別物の近くに存在して巻き込まれ、落下軌跡が僅かに変更されて前記第３排出路から排出される被選別物を含む前記中間品を、前記粒状物供給部における選別機外から供給される原料を被選別物として貯留する前記貯留手段に搬送し、再度、前記光学選別部において選別することを可能とする搬送手段と、
を備えることを特徴とする光学式選別機。
【請求項２】
前記粒状物供給部、前記光学選別部及び前記搬送手段は、それぞれ第１の粒状物供給部、第１の光学選別部及び第１の搬送手段であって、
被選別物を貯留する貯留手段、該貯留手段から前記被選別物を移送する移送手段、を有する第２の粒状物供給部と、
前記移送手段の端部から所定の軌跡に沿って落下する被選別物を検出する光学検出手段、該光学検出手段による検出信号に基づいて前記被選別物の種別を判別する判別手段、該判別手段による判別結果に基づいて特定の種別に判別される被選別物を前記所定の落下軌跡から排除するエジェクター、前記所定の軌跡に沿って落下する被選別物の落下位置に設けられる第１排出路、前記所定の落下軌跡から排除される被選別物の落下位置に設けられる第２排出路、及び前記第１排出路及び前記第２排出路の間に形成される第３排出路を有する排出ホッパ、を備える第２の光学選別部と、
前記第２の光学選別部における前記排出ホッパの第３排出路から排出される被選別物を前記第２の粒状物供給部における貯留手段に搬送する第２の搬送手段と、をさらに備え、
前記第１の光学選別部における排出ホッパの第１排出路又は第２排出路から排出される被選別物を前記第２の粒状物供給部の貯留手段に搬送する搬送手段と、
前記第２の光学選別部における排出ホッパの第１排出路又は第２排出路から排出される被選別物を前記第１の粒状物供給部の貯留手段に搬送する搬送手段と、を備える請求項１記載の光学式選別機。
【請求項３】
前記排出ホッパにおける第１排出路と第３排出路を仕切る部材の頂部、及び第３排出路と第２排出路を仕切る部材の頂部に、被選別物の各排出路への侵入量を調整する角度調整板を設ける請求項１又は２記載の光学式選別機。
【発明の詳細な説明】
【技術分野】
【０００１】
本発明は、穀粒や樹脂ペレット等の粒状物を色彩等に基づいて選別する光学式選別機に関する。
【背景技術】
【０００２】
従来、米・麦類・豆類・ナッツ類等の穀粒、ペレット・ビーズ等の樹脂片、医薬品、鉱石類、シラス等の細かい物品、その他の粒状物からなる原料を良品と不良品に選別したり、原料に混入する異物等を排除したりする光学式選別機が知られている。
【０００３】
この種の光学式選別機は、移送路の端部から所定の軌跡に沿って落下する粒状物に光を照射し、該粒状物からの反射光等を受光して前記原料に含まれる不良品や異物等を検出し、当該検出した不良品や異物等を排除することで前記粒状物の選別を行うものである。
【０００４】
ところで、上記光学式選別機は、前記所定の軌跡に沿って落下する粒状物にエアを噴射する等して前記不良品や異物等を排除するが、当該不良品等の近くに存在する良品を巻き込んで排除してしまうものである。
【０００５】
そこで、光学式選別機において、良品の回収率を向上させるため、二組の選別部を並設し、粒状物からなる原料を二段階で良品と不良品に選別する方法が知られている（例えば、特許文献１を参照。）。
【０００６】
図６は、特許文献１に記載された光学式選別機における良品と不良品の選別手順の説明図を示す。
特許文献１に記載された光学式選別機において、１次タンク１２１ａに供給される粒状物からなる原料は、１次選別部１０３ａにおいて良品と不良品に選別される。前記１次選別部１０３ａにおいて不良品に選別された粒状物は、通路１０４ａを通して第１昇降機１０５ａに送られ、該第１昇降機１０５ａにより２次タンク１２１ｂに送られた後に、２次選別部１０３ｂにおいて良品と不良品に選別される。そして、２次選別部１０３ｂにおいて良品に選別された粒状物は、通路１０４ｂを通して第２昇降機１０５ｂに送られ、該第２昇降機１０５ｂにより前記１次タンク１２１ａに送られて、再度、前記１次選別部１０３ａにおいて良品と不良品に選別される。
【０００７】
上記特許文献１に記載された光学式選別機によれば、１次選別部１０３ａにおいて不良品を排除するためのエアに巻き込まれ、不良品に混入することとなった良品を回収することが可能となり、良品の回収率を向上させることができる。
【０００８】
ところが、上記特許文献１に記載された光学式選別機は、選別部を二組設ける必要があるため、装置が大型化し、かつコストも上昇するという問題がある。
また、上記特許文献１に記載された光学式選別機は、前記２次タンク１２１ｂに送られる不良品に、当該不良品を排除するためのエアに巻き込まれた良品が多く混入するものであるが、２次選別部の処理能力には限界があり、前記良品を効率よく回収することができないという問題がある。
【先行技術文献】
【特許文献】
【０００９】
【特許文献１】特開２０００−１０７７０３号公報
【発明の概要】
【発明が解決しようとする課題】
【００１０】
そこで、本発明は、装置を大型化することなく、良品の回収率を向上させることができる光学式選別機を提供することを目的とする。
また、本発明は、良品を効率よく回収することができる光学式選別機を提供することを目的とする。
【課題を解決するための手段】
【００１１】
上記目的を達成するため、本発明の光学式選別機は、
選別機外から供給される原料を被選別物として貯留する貯留手段、該貯留手段から前記被選別物を移送する移送手段、を有する粒状物供給部と、
前記移送手段の端部から所定の軌跡に沿って落下する被選別物を検出する光学検出手段、該光学検出手段による検出信号に基づいて前記被選別物の種別を判別する判別手段、該判別手段による判別結果に基づいて特定の種別に判別される被選別物を前記所定の落下軌跡から排除するエジェクター、前記所定の軌跡に沿って落下する被選別物の落下位置に設けられる第１排出路、前記特定の種別に判別される被選別物であって前記エジェクターにより前記所定の落下軌跡から排除される被選別物の落下位置に設けられる第２排出路、及び前記第１排出路及び前記第２排出路の間に形成される第３排出路を有する排出ホッパ、を備える光学選別部と、
前記光学選別部における前記排出ホッパの前記第３排出路から排出される被選別物である中間品であって、前記特定の種別に判別される被選別物を前記エジェクターにより前記所定の落下軌跡から排除する際に、前記特定の種別に判別される被選別物の近くに存在して巻き込まれ、落下軌跡が僅かに変更されて前記第３排出路から排出される被選別物を含む前記中間品を、前記粒状物供給部における選別機外から供給される原料を被選別物として貯留する前記貯留手段に搬送し、再度、前記光学選別部において選別することを可能とする搬送手段と、
を備えることを特徴とするものである。
【００１２】
本発明の光学式選別機は、前記粒状物供給部、前記光学選別部及び前記搬送手段が、それぞれ第１の粒状物供給部、第１の光学選別部及び第１の搬送手段であって、被選別物を貯留する貯留手段、該貯留手段から前記被選別物を移送する移送手段、を有する第２の粒状物供給部と、前記移送手段の端部から所定の軌跡に沿って落下する被選別物を検出する光学検出手段、該光学検出手段による検出信号に基づいて前記被選別物の種別を判別する判別手段、該判別手段による判別結果に基づいて特定の種別に判別される被選別物を前記所定の落下軌跡から排除するエジェクター、前記所定の軌跡に沿って落下する被選別物の落下位置に設けられる第１排出路、前記所定の落下軌跡から排除される被選別物の落下位置に設けられる第２排出路、及び前記第１排出路及び前記第２排出路の間に形成される第３排出路を有する排出ホッパ、を備える第２の光学選別部と、前記第２の光学選別部における前記排出ホッパの第３排出路から排出される被選別物を前記第２の粒状物供給部における貯留手段に搬送する第２の搬送手段と、をさらに備え、前記第１の光学選別部における排出ホッパの第１排出路又は第２排出路から排出される被選別物を前記第２の粒状物供給部の貯留手段に搬送する搬送手段と、前記第２の光学選別部における排出ホッパの第１排出路又は第２排出路から排出される被選別物を前記第１の粒状物供給部の貯留手段に搬送する搬送手段と、を備えることが好ましい。
【００１３】
本発明の光学式選別機は、前記排出ホッパにおける第１排出路と第３排出路を仕切る部材の頂部、及び第３排出路と第２排出路を仕切る部材の頂部に、被選別物の各排出路への侵入量を調整する角度調整板を設けることが好ましい。
【００１４】
ここで、本発明において、前記第３排出路３５３から排出される粒状物を「中間品」と呼ぶこととする。
また、本発明における被選別部の種別には、例えば、原料の良品と不良品、原料とそれに混入する異物、複数種類の粒状物が原料に混在する場合にはそれら粒状物の種類等が含まれる。
【発明の効果】
【００１５】
本発明の光学式選別機は、光学選別部における排出ホッパが、所定の軌跡に沿って落下する被選別物の落下位置に設けられる第１排出路と前記所定の落下軌跡から排除される被選別物の落下位置に設けられる第２排出路との間に形成される第３排出路を有するから、所定の落下軌跡から被選別物を排除する際に巻き込まれ、落下軌跡が僅かに変更される被選別物を前記排出ホッパの第３排出路から中間品として排出できる。
そして、本発明の光学式選別機は、前記排出ホッパの第３排出路から排出される被選別物を前記粒状物供給部における選別機外から供給される原料を貯留する貯留手段に搬送する搬送手段を備えるから、前記被選別物を排除する際に巻き込まれた中間品を、再度、光学選別部において選別することが可能となる。
したがって、本発明の光学式選別機によれば、例えば、原料を良品と不良品に選別する場合、前記第１排出路又は第２排出路から排出される不良品に比べ、良品の混入率が著しく高い前記中間品を、再度、光学選別部において選別することが可能なため、必ずしも選別部を二組設ける必要がなく、従来に比べ、装置を大型化することなく良品の回収率を向上させることができる。
【００１６】
また、本発明の光学式選別機は、第１の光学選別部における排出ホッパの第１排出路又は第２排出路から排出される被選別物を第２の粒状物供給部の貯留手段に搬送する搬送手段と、第２の光学選別部における排出ホッパの第１排出路又は第２排出路から排出される被選別物を第１の粒状物供給部の貯留手段に搬送する搬送手段と、を備えることとすれば、例えば、原料を良品と不良品に選別する場合において、図６に示す従来の光学式選別機に比べ、第２の粒状物供給部の貯留手段に搬送する不良品の量が減少する結果、第１の光学選別部における粒状物の供給量を増加させることができるため、良品を効率よく回収することができる。
【００１７】
さらに、本発明の光学式選別機は、前記排出ホッパにおける第１排出路と第３排出路を仕切る部材の頂部、及び第３排出路と第２排出路を仕切る部材の頂部に、被選別物の各排出路への侵入量を調整する角度調整板を設けることとすれば、例えば原料を良品と不良品に選別する場合において、第１排出路又は第２排出路から排出される良品の純度や、第３排出路から排出される中間品における不良品の混入率を調整することができる。
【図面の簡単な説明】
【００１８】
【図１】本発明の実施形態の光学式選別機における内部構造の側断面図。
【図２】本発明の実施形態の光学式選別機における選別の様子を示す説明図。
【図３】本発明の実施形態の光学式選別機における選別手順の説明図。
【図４】本発明の他の実施形態の光学式選別機における選別手順の説明図。
【図５】本発明のさらに他の実施形態の光学式選別機における選別手順の説明図。
【図６】従来の光学式選別機における選別手順の説明図。
【発明を実施するための形態】
【００１９】
本発明の実施の形態を図面を参照しながら説明する。
図１は、本発明の実施の形態における光学式選別機の内部構造を簡略化した側断面図を示す。
本実施の形態における光学式選別機は、粒状物供給部２、光学選別部３、樋状通路４及び昇降機５を備える。
【００２０】
本実施の形態における光学式選別機において、前記粒状物供給部２は、原料タンク２１と、該原料タンク２１に貯留する粒状物を供給する振動フィーダ２２と、該振動フィーダ２２から供給される粒状物を流下させる所定幅を有する傾斜状シュート２３を備える。
【００２１】
ここで、前記振動フィーダ２２は、バイブレータ等を有する振動発生装置に載置され、該振動発生装置における周波数や振動を調整することで、前記傾斜状シュート２３への粒状物の供給量を制御することができる。
【００２２】
また、本実施の形態における光学式選別機において、前記光学選別部３は、粒状物の落下軌跡の前後に配設される一対の光学検出装置３１ａ，３１ｂと、該光学検出装置３１ａ，３１ｂの撮像信号に基づいて前記粒状物を良品と不良品に判別する判別装置３３と、前記判別装置３３の判別結果に基づいて前記不良品を排除し、前記粒状物を良品と不良品に選別するエジェクター３４と、前記エジェクター３４により良品と不良品に選別された粒状物を排出する排出ホッパ３５を備える。
【００２３】
前記光学検出装置３１ａ，３１ｂは、前記傾斜状シュート２３の下端から幅方向に広がる状態で空中に放出される粒状物に対応できるものであって、ＣＣＤ等のラインセンサやエリアセンサを内蔵し、ＮＩＲ（近赤外線）、可視光又は紫外線等の波長域の光を受光可能とするＣＣＤカメラ等の撮像手段３１１ａ，３１１ｂと、前記粒状物の所定の落下軌跡上における検出位置Ｏを照明する蛍光灯やハロゲンランプ、ＬＥＤ光源等の照明手段３１２ａ，３１２ｂと、バックグラウンド３１３ａ，３１３ｂを備える。
そして、当該光学検出装置３１ａ，３１ｂは、前記検出位置Ｏにおいて前記撮像手段３１１ａ，３１１ｂにより前記バックグラウンド３１３ａ，３１３ｂを背景として粒状物を撮像する。
【００２４】
前記判別装置３３は、粒状物を良品と不良品に区別するしきい値を設定するしきい値設定手段と、前記しきい値に基づいて粒状物を良品と不良品のいずれかに判別する判別手段を備える。ここで、前記しきい値は、前記撮像手段３１１ａ，３１１ｂにより撮像される粒状物の撮像信号における光量や色成分の信号レベルの値として設定することができる。
そして、当該判別装置３３は、前記光学検出装置３１ａ，３１ｂから送られる粒状物の撮像信号に基づいて当該粒状物を良品と不良品のいずれかに判別する。
【００２５】
前記エジェクター３４は、前記光学検出装置３１ａ，３１ｂと同様に、前記傾斜状シュート２３の下端から幅方向に広がる状態で空中に放出される粒状物に対応できるものであって、前記幅方向に形成される複数のノズル孔から選択的にエアを噴射することができるノズル３４１を備える。
そして、当該エジェクター３４は、前記判別装置３３から送られる不良品の排除信号に基づいて、所定のノズル孔から所定のタイミングでエアを噴射し、所定の落下軌跡から当該不良品を排除することで、粒状物を良品と不良品に選別する。
【００２６】
前記排出ホッパ３５は、前記所定の落下軌跡に沿って落下する良品を排出する第１排出路３５１と、前記エジェクター３４により排除され落下軌跡が変更されて落下する不良品を排出する第２排出路３５２を備える。
【００２７】
また、前記排出ホッパ３５は、前記第１排出路３５１と第２排出路３５２との間に第３排出路３５３を備える。
ここで、本発明において、前記第３排出路３５３から排出される粒状物を「中間品」と呼ぶこととする。
【００２８】
さらに、本実施の形態における光学式選別機は、前記第３排出路３５３から排出される中間品を送る樋状通路４と、該樋状通路４を通して送られる中間品を、再度、前記原料タンク２１へ送るバケットコンベア等からなる昇降機５を備える。
【００２９】
本実施の形態における光学式選別機１において、前記粒状物供給部２の原料タンク２１に供給される粒状物は、前記振動フィーダ２２を介して前記傾斜状シュート２３に送られ、該傾斜状シュート２３を幅方向に広がる状態で連続状に自然流下した後、その下端から所定の落下軌跡に沿って空中に放出される。
【００３０】
そして、前記空中に放出される粒状物は、前記光学選別部３において、前記一対の光学検出装置３１ａ，３１ｂにおける撮像手段３１１ａ，３１１ｂにより、前記落下軌跡上における検出位置Ｏにおいて撮像される。
【００３１】
前記撮像手段３１１ａ，３１１ｂにより撮像された粒状物は、前記判別装置３３において、撮像信号の信号レベルが前記しきい値と比較され、良品と不良品のいずれかに判別される。
【００３２】
そして、前記粒状物は、前記判別装置３３から送られる排除信号に基づいて、前記エジェクター３４におけるエアの噴射により不良品が前記所定の落下軌跡から排除され、良品と不良品に選別されて、各別に第１排出路３５１及び第２排出路３５２から排出される。
【００３３】
このとき、前記排除される不良品近くに存在する良品が、前記エアに巻き込まれ、僅かに落下軌跡が変更されることとなるが、本実施の形態における排出ホッパ３５は、前記第１排出路３５１と第２排出路３５２の間に第３排出路３５３を備えるから、前記エアに巻き込まれた良品を多く含む粒状物が中間品として当該第３排出樋３５３から排出される。
【００３４】
そして、前記第３排出樋３５３から排出される中間品は、前記樋状通路４を通して昇降機５に送られ、該昇降機５により原料タンク２１に送られて、再度、前記光学選別部３において良品と不良品に選別される。
【００３５】
図２は、本実施の形態の光学式選別機において、粒状物を良品と不良品に選別する場合の説明図を示す。
本実施の形態における光学式選別機において、傾斜状シュート２３を流下し、その下端から空中に放出される粒状物は、光学選別部の判別装置において良品と不良品のいずれかに判別されるが、ここで良品と判別された粒状物は所定の落下軌跡に沿って第１排出路３５１に落下する。
一方、前記判別装置において不良品と判別された粒状物は、エジェクターのノズル３４１から噴射されるエアにより前記所定の落下軌跡から排除されるが、このとき、前記排除される不良品の前後左右に存在する良品の一部が巻き込まれ、該良品の落下軌跡が僅かに変更される。
【００３６】
しかし、図２に示すように、本実施の形態における光学式選別機は、排出ホッパ３５が第３排出路３５３を備えるため、前記エアに巻き込まれ僅かに落下軌跡が変更された良品の多くは、中間品として前記エアにより排除される不良品と区別して排出される。
【００３７】
また、図２に示すように、本実施の形態における排出ホッパ３５には、前記第１排出路３５１と第３排出路３５３を仕切る仕切り部材の頂部に第１調整板３５５、前記第２排出路３５２と第３排出路３５３を仕切る仕切り部材の頂部に第２調整板３５６が、それぞれ手動又は自動で角度を変更できるように設けられている。
当該各調整板３５５，３５６の角度は、良品や中間品における不良品の混入率を周知の計測器により自動計測することで、自動で調整することができる。
【００３８】
そして、前記第１調整板３５５の角度を変更することで、第１排出路３５１に侵入する良品の純度を調整することができる。
また、前記第２調整板３５６の角度を変更することで、第３排出路３５３に侵入する中間品における不良品の混入率を調整することができる。
【００３９】
なお、前記第２調整板３５６の角度は、当該光学式選別機の稼働中において、前記中間品における不良品の混入率が、原料における不良品の混入率以下となるよう設定することが望ましい。
また、当該光学式選別機の稼働を終了する場合、前記第２調整板３５６により第３排出路の上部開口を塞ぐことで、選別機中の粒状物の残留を防止できる。
【００４０】
図３は、本実施の形態の光学式選別機において、良品と不良品を選別する手順の説明図を示す。
本実施の形態の光学式選別機において、原料タンク２１に供給される粒状物は、光学選別部３において良品と不良品に選別される。その際、前記光学選別部３において良品を多く含む中間品が発生するが、当該中間品は樋状通路４を通して昇降機５に送られ、該昇降機５により原料タンク２１に送られて、再度、前記光学選別部３において良品と不良品に選別される。
【００４１】
したがって、本実施の形態における光学式選別機は、従来に比べ、装置を大型化することなく良品の回収率を向上させることができる。
【００４２】
＜本発明の他の実施の形態＞
図４は、本発明の他の実施の形態における光学式選別機において、良品と不良品を選別する手順の説明図を示す。
本実施の形態における光学式選別機は、二組の粒状物供給部及び光学選別部を並設し、原料となる粒状物を二段階で良品と不良品に選別するものである。
本実施の形態における光学式選別機は、図１に示すものと同じ構造の粒状物供給部、光学選別部、樋状通路及び昇降機を備える。
【００４３】
本実施の形態における光学式選別機において、まず、１次タンク２１ａに供給される粒状物は、１次選別部３ａにおいて良品と不良品に選別される。１次選別部３ａにおいて不良品に選別された粒状物は、２次タンク２１ｂに送られた後に、２次選別部３ｂにおいて良品と不良品に選別される。そして、２次選別部３ｂにおいて良品に選別された粒状物は、前記１次タンク２１ａに送られ、再度、１次選別部３ａにおいて良品と不良品に選別される。
【００４４】
一方、本実施の形態における光学式選別機において、前記１次選別部３ａで発生する中間品は、前記１次タンク２１ａに送られ、再度、１次選別部３ａにおいて良品と不良品に選別される。
また、前記２次選別部３ｂで発生する中間品は、前記２次タンク２１ｂに送られ、再度、２次選別部３ｂにおいて良品と不良品に選別される。
【００４５】
したがって、本実施の形態における光学式選別機は、図６に示す従来の光学式選別機と比べ、２次タンク２１ｂに送る不良品の量が減少する結果、１次選別部３ａへの粒状物の供給量を増加させることができ、良品を効率よく回収することができる。
【００４６】
なお、本実施の形態における光学式選別機は、一台の光学式選別機に二組の粒状物供給部及び光学選別部を並設するものであるが、独立した二台の光学式選別機を連結し、原料となる粒状物を二段階で良品と不良品に選別するものとしてもよい。
【００４７】
＜本発明のさらに他の実施の形態＞
図５は、本発明のさらに他の実施の形態における光学式選別機において、良品と不良品を選別する手順の説明図を示す。
本実施の形態における光学式選別機は、三組の粒状物供給部及び光学選別部を並設し、又は独立した三台の光学式選別機を連結し、原料となる粒状物を三段階で良品と不良品に選別するものである。
本実施の形態における光学式選別機も、粒状物供給部、光学選別部、樋状通路及び昇降機の構造は、図１に示すものと同様である。
【００４８】
本発明の光学式選別機は、四組以上の粒状物供給部及び光学選別部を並設し、又は四台以上の独立した光学式選別機を連結し、原料となる粒状物を四段階以上で良品と不良品に選別するものとすることもできる。
＜その他の実施の形態＞
【００４９】
上記各実施の形態において、光学式選別機は、不良品をエジェクターにより排除するものとして説明したが、良品を排除することとしてもよい。また、原料となる粒状物を複数段階で良品と不良品に選別する場合、各段階において原料への混入割合が少ない方を排除することとすれ選別効率が向上する。
【００５０】
上記各実施の形態の光学式選別機は、粒状物供給部２が傾斜状シュート２３を備え、該傾斜状シュート２３の下端部から空中に放出される粒状物を、検出位置Ｏにおいて光学検出装置３１ａ，３１ｂにおける撮像手段３１１ａ，３１１ｂにより撮像するものであったが、水平配置するコンベア端部から空中に放出される粒状物を撮像するものであってもよい。
【００５１】
上記各実施の形態の光学式選別機は、エジェクターとしてエアを噴射するノズルを用い、粒状物を所定の落下軌跡から非接触で排除するものであったが、エジェクターとして例えばソレノイド等を駆動手段とする板バネ等の機械的手段を用い、粒状物を排除するものとしてもよい。なお、その場合、板バネの駆動量や駆動速度を調整することで、不良品等を適切に排除することができる。
【００５２】
上記各実施の形態の光学式選別機において、前記第３排出路３５３から排出される中間品は、樋状通路４に代えて水平コンベアや振動コンベア等の各種コンベアにより前記昇降機５に送ることとしてもよい。また、ニューマパイプを配置し、前記中間品を前記原料タンク２１へ直接ニューマ搬送することとしてもよい。
【００５３】
上記各実施の形態の光学式選別機は、原料の粒状物を良品と不良品に選別するものであったが、原料に異物が混入する場合には、該原料と異物と選別したり、原料に二種類以上の粒状物が混在する場合には、該粒状物を一の種類とその他の種類に選別したりすることもできる。
【００５４】
本発明の光学式選別機は、上記実施の形態に限らず、本発明の範囲を逸脱しない限りにおいて、その構成を適宜変更できることはいうまでもない。
【産業上の利用可能性】
【００５５】
本発明の光学式選別機は、装置を大型化することなく良品の回収率を向上させることができるものであり、極めて有用なものである。
【符号の説明】
【００５６】
１      光学式選別機
２      粒状物供給部
２１      原料タンク
２２      振動フィーダ
２３      シュート
３      光学選別部
３１ａ，３１ｂ      光学検出装置
３１１ａ，３１１ｂ      撮像手段
３１２ａ，３１２ｂ      照明手段
３１３ａ，３１３ｂ      バックグラウンド
３３      判別装置
３４      エジェクター
３５      排出ホッパ
３５１      第１排出路
３５２      第２排出路
３５３      第３排出路
３５５      第１調整板
３５６      第２調整板
４      樋状通路
５      昇降機
【図１】
0005846348.tif 000002
【図２】
0005846348.tif 000003
【図３】
0005846348.tif 000004
【図４】
0005846348.tif 000005
【図５】
0005846348.tif 000006
【図６】
0005846348.tif 000007